(57)【要約】【課題】シート状の照明光を、その形態を維持しつつ隣接する各ウェル内の標本に照射する。【解決手段】光学的に透明な平板状の基材２の一面に開口する複数のウェル３を形成する複数の凹部がマトリクス状に配列されることにより構成されており、シート状の照明光の光軸に略直交して配置される入射面２ａを有するとともに、基材２が各ウェル３内に標本とともに収容する液体の屈折率と略同等の屈折率を有するマルチウェル容器１を提供する。【選択図】図１
2017146443.tif 000002
【特許請求の範囲】
【請求項１】
光学的に透明な平板状の基材の一面に開口する複数のウェルを形成する複数の凹部を設けてなり、
シート状の照明光の光軸に略直交して配置される入射面を有するとともに、
前記基材が各前記ウェル内に標本とともに収容する液体の屈折率と略同等の屈折率を有するマルチウェル容器。
【請求項２】
一端に底面を有する筒状に形成され、マトリクス状に配列されるとともに光学的に透明な材質からなる複数のウェル部を備え、
各該ウェル部が、その少なくとも一部の外周面を側方に露出させるように、隣接する他の前記ウェル部に対して相対移動可能に設けられているマルチウェル容器。
【請求項３】
各前記ウェル部を軸方向に移動可能に貫通させる複数の貫通孔を備える支持部材と、
該支持部材と各前記ウェル部との間に配置され、各前記ウェル部を前記軸方向に沿って各前記ウェル部の一端から他端方向に付勢する付勢部材とを備える請求項２に記載のマルチウェル容器。
【請求項４】
複数の前記ウェル部が直線状に配列されてなる複数の列を備え、隣接する前記列間に、該ウェル部を列毎に揺動させるヒンジ部材を備える請求項２に記載のマルチウェル容器。
【請求項５】
各前記ウェル部の他端側を連結するとともに、前記ウェル部の列に沿う軸線回りに湾曲可能な可撓性を有する連結部材を備える請求項２に記載のマルチウェル容器。
【請求項６】
一端に底面を有する筒状の複数のウェル部が他端側において連結されてマトリクス状に配列されるとともに光学的に透明で内部に標本とともに収容される液体の屈折率と略同等の屈折率を有する材質からなるマルチウェル容器に組み合わせられる容器アダプタであって、
シート状の照明光の光軸に略直交して配置される入射面と、
前記マルチウェル容器の複数の前記ウェル部の少なくとも前記一端側の外周面と相補的な形状を有し前記外周面に密着状態に配置される密着面とを備え、
前記入射面と前記密着面との間に、光学的に透明で前記液体の屈折率と略同等の屈折率を有する材料が満たされてなる容器アダプタ。
【発明の詳細な説明】
【技術分野】
【０００１】
本発明は、マルチウェル容器および容器アダプタに関するものである。
【背景技術】
【０００２】
従来、３次元の標本を立体的に観察するために、容器に入れた標本に対し、容器の側方から一平面に沿うシート状の照明光を照射し、該平面に直交する方向に光軸を配置した対物レンズによって標本から発生する蛍光を集光するライトシート顕微鏡が知られている（例えば、特許文献１参照。）。
一方、多検体を観察するための容器としてマルチウェル容器が知られている。
【先行技術文献】
【特許文献】
【０００３】
【特許文献１】特表２０１０−５４０９９４号公報
【発明の概要】
【発明が解決しようとする課題】
【０００４】
しかしながら、特許文献１の顕微鏡において、多検体を観察するためにマルチウェル容器を用いる場合には、容器の側方から入射させるシート状の照明光が、隣接するウェルによって遮られ、光源側から離れるに従って、シート状の形態が崩れてしまうという不都合がある。シート状の形態が崩れた照明光では、標本位置において光密度が高められず、明るい蛍光を得ることができないとともに、蛍光の発生する領域が広がってしまい、鮮明な画像を得ることができないという不都合がある。
【０００５】
本発明は上述した事情に鑑みてなされたものであって、シート状の照明光を、その形態を維持しつつ隣接する各ウェル内の標本に照射することができるマルチウェル容器および容器アダプタを提供することを目的としている。
【課題を解決するための手段】
【０００６】
上記目的を達成するために、本発明は以下の手段を提供する。
本発明の一態様は、光学的に透明な平板状の基材の一面に開口する複数のウェルを形成する複数の凹部を設けてなり、シート状の照明光の光軸に略直交して配置される入射面を有するとともに、前記基材が各前記ウェル内に標本とともに収容する液体の屈折率と略同等の屈折率を有するマルチウェル容器を提供する。
【０００７】
本態様によれば、各ウェル内に標本を液体とともに収容し、入射面に略直交する方向からシート状の照明光を入射させると、照明光は入射面において大きく屈折することなくマルチウェル容器内に入射する。マルチウェル容器内に入射した照明光は、各ウェルを形成する凹部において、マルチウェル容器の材料とウェル内に収容されている液体との境界面を通過する。マルチウェル容器が液体と略同等の屈折率を有するので、この境界面においても照明光の屈折は抑えられる。したがって、本態様によれば、マルチウェル容器内の各ウェル内に収容されている標本に対し、シート状の形態を保持したままで照明光を照射することができる。
【０００８】
また、本発明の他の態様は、一端に底面を有する筒状に形成され、マトリクス状に配列されるとともに光学的に透明な材質からなる複数のウェル部を備え、各該ウェル部が、その少なくとも一部の外周面を側方に露出させるように、隣接する他の前記ウェル部に対して相対移動可能に設けられているマルチウェル容器を提供する。
【０００９】
本態様によれば、各ウェル部内に標本を液体とともに収容し、一のウェル部内の標本の観察を行う際に、当該一のウェル部と隣接する他のウェル部とを相対的に移動させることにより、観察しようとする一のウェル部の一部の外周面を側方に露出させ、露出した外周面にシート状の照明光を入射させる。これにより、照明光が他のウェル部を通過することなく、観察しようとする一のウェル部内に直接入射されるので、照明光の屈折や散乱を低減して、シート状の形態を保ったまま標本に照射することができる。
【００１０】
上記態様においては、各前記ウェル部を軸方向に移動可能に貫通させる複数の貫通孔を備える支持部材と、該支持部材と各前記ウェル部との間に配置され、各前記ウェル部を前記軸方向に沿って各前記ウェル部の一端から他端方向に付勢する付勢部材とを備えていてもよい。
このようにすることで、観察しようとする一のウェル部を付勢部材の付勢力に抗して他のウェル部に対して軸方向に移動させることにより、一のウェル部の外周面を側方に露出させ、露出した外周面に、他のウェル部を通過させることなく、シート状の照明光を直接入射させることができる。
【００１１】
また、上記態様においては、複数の前記ウェル部が直線状に配列されてなる複数の列を備え、隣接する前記列間に、該ウェル部を列毎に揺動させるヒンジ部材を備えていてもよい。
このようにすることで、複数のウェル部を直線状に配列した一列の各ウェル部に収容された標本の観察が終了した後に、観察が終了した列とその隣の列との間のヒンジ部材によって、観察が終了した列のウェル部を隣接する列のウェル部に対して揺動させることにより、隣接する列のウェル部の外周面を側方に露出させ、露出した外周面に、他のウェル部を通過させることなく、シート状の照明光を直接入射させることができる。
【００１２】
また、上記態様においては、各前記ウェル部の他端側を連結するとともに、前記ウェル部の列に沿う軸線回りに湾曲可能な可撓性を有する連結部材を備えていてもよい。
このようにすることで、湾曲可能な連結部材を湾曲させることで、各列のウェル部を隣接する列のウェル部に対して移動させて、隣接する列のウェル部の外周面を側方に露出させ、露出した外周面に、他のウェル部を通過させることなく、シート状の照明光を直接入射させることができる。
【００１３】
また、本発明の他の態様は、一端に底面を有する筒状の複数のウェル部が他端側において連結されてマトリクス状に配列されるとともに光学的に透明で内部に標本とともに収容される液体の屈折率と略同等の屈折率を有する材質からなるマルチウェル容器に組み合わせられる容器アダプタであって、シート状の照明光の光軸に略直交して配置される入射面と、前記マルチウェル容器の複数の前記ウェル部の少なくとも前記一端側の外周面と相補的な形状を有し前記外周面に密着状態に配置される密着面とを備え、前記入射面と前記密着面との間に、光学的に透明で前記液体の屈折率と略同等の屈折率を有する材料が満たされてなる容器アダプタを提供する。
【００１４】
本態様によれば、マルチウェル容器の各ウェル部に標本を液体とともに収容した状態で、容器アダプタに組み合わせると、各ウェル部の少なくとも一端側の外周面が、相補的な形状を有する容器アダプタの密着面に密着させられる。容器アダプタはウェル部内の液体の屈折率と略同等の屈折率を有する材料により構成されているので、ウェル部の外周面と密着面との密着部分において屈折率の変化する境界面が発生せず、入射荒れるシート状の照明光をシート状の形態を維持したままウェル部内の標本に照射することができる。
【発明の効果】
【００１５】
本発明によれば、シート状の照明光を、その形態を維持しつつ隣接する各ウェル内の標本に照射することができるという効果を奏する。
【図面の簡単な説明】
【００１６】
【図１】本発明の第１の実施形態に係るマルチウェル容器を示す斜視図である。
【図２】図１のマルチウェル容器を用いた標本の観察方法を説明する縦断面図である。
【図３】図２の観察方法の変形例を示す縦断面図である。
【図４】図１のマルチウェル容器の変形例を用いた標本の観察方法を説明する縦断面図である。
【図５】本発明の第２の実施形態に係るマルチウェル容器を示す縦断面図である。
【図６】図５のマルチウェル容器を用いた標本の観察状態を説明する縦断面図である。
【図７】本発明の第３の実施形態に係るマルチウェル容器を用いた最端列のウェル部内の標本の観察状態を説明する縦断面図である。
【図８】図７のマルチウェル容器を用いた端部から２列目のウェル部内の標本の観察状態を説明する縦断面図である。
【図９】図７のマルチウェル容器を用いた端部から３列目のウェル部内の標本の観察状態を説明する縦断面図である。
【図１０】図７のマルチウェル容器の変形例を示す縦断面図である。
【図１１】図１０のマルチウェル容器を用いた標本の観察状態を説明する縦断面図である。
【図１２】本発明の一実施形態に係る容器アダプタを示す縦断面図である。
【図１３】図１２の容器アダプタにマルチウェル容器を組み合わせる前の状態を示す縦断面図である。
【図１４】図１２の容器アダプタにマルチウェル容器を組み合わせた観察状態を説明する縦断面図である。
【発明を実施するための形態】
【００１７】
以下、本発明の第１の実施形態に係るマルチウェル容器１について、図面を参照して以下に説明する。
本実施形態に係るマルチウェル容器１は、図１に示されるように、光学的に透明な材質からなる直方体状の基材２の一面に開口する複数のウェル３を形成する複数の凹部が、マトリクス状に配列されることにより構成されている。
【００１８】
各ウェル３は、図２に示されるように、略円形の横断面を有し、複数のウェル３の中心軸は相互に平行に設けられている。基材２の屈折率は、ウェル３内に標本Ａとともに収容される液体Ｂの屈折率と略同等である。
マルチウェル容器１の基材２の側面は、各ウェル３の中心軸と平行に形成されている。
【００１９】
このように構成された本実施形態に係るマルチウェル容器１の作用について、以下に説明する。
本実施形態に係るマルチウェル容器１を用いて標本Ａの観察を行うには、各ウェル３内に液体Ｂとともに標本Ａを収容し、いずれかのウェル３の中心軸に略一致するように対物レンズ４の光軸Ｓを配置し、基材２の側面から該側面（入射面）２ａおよび各ウェル３の中心軸に直交するシート状の照明光Ｔを入射させる。
【００２０】
シート状の照明光Ｔは、マルチウェル容器１の基材２の側面２ａから基材２内に入射し、基材２内を透過し、各ウェル３の内面と液体Ｂとの境界面を通過して標本Ａに照射される。シート状の照明光Ｔが基材２の側面２ａに直交する方向に入射されるので、側面２ａにおける入射時に照明光Ｔの屈折を小さく抑えることができる。
【００２１】
また、基材２の屈折率と液体Ｂの屈折率とを略同等とすることにより、各ウェル３の内面と液体Ｂとの境界面が屈折率の異なる物質間の境界面とはならず、該境界面を通過する際の照明光Ｔの屈折が極めて小さく抑えられる。
すなわち、本実施形態に係るマルチウェル容器１によれば、側面２ａから入射させたシート状の照明光Ｔの、標本Ａに照射されるまでの経路での屈折が抑えられるので、シート状の形態を保ったまま照明光Ｔを標本Ａに照射することができる。
【００２２】
照明光Ｔは、中心軸に直交する平面に沿う極めて薄い範囲に照射されるので、該平面が焦点位置となるように対物レンズ４を配置しておくことにより、照明光Ｔが通過した領域において発生した蛍光を、対物レンズ４により集光し、一度に広い範囲にわたる標本Ａの画像を取得することができる。
【００２３】
この場合において、本実施形態に係るマルチウェル容器１によれば、入射させたシート状の照明光Ｔを、シート状の形態を保持したまま標本Ａに照射することができる。これにより、高い空間分解能で標本Ａの画像を取得することができるという利点がある。特に、標本Ａとして透明標本を用いることにより、標本Ａにおける散乱についても抑えることができる。その結果、マトリクス状に配列された複数のウェル３内の全ての標本Ａの鮮明な画像を取得することができる。
【００２４】
なお、本実施形態においては、マルチウェル容器１を構成する基材２の一側面２ａから照明光Ｔを入射させる場合について説明したが、これに代えて、図３に示されるように、複数の側面２ａから入射させることにしてもよい。この場合には、照明光Ｔを入射させる全ての側面２ａをウェル３の中心軸と平行に設けておけばよい。散乱が大きな標本Ａを観察する場合に、一側のみから照明光Ｔを入射させる場合には、照明光Ｔが入射する側面２ａからの距離が長くなるほど照明光Ｔが標本Ａに届きにくくなるが、他の側面２ａからも入射可能とすることにより、標本Ａに最も近い側面２ａから照明光Ｔを入射させることができる。
【００２５】
また、本実施形態においては、マルチウェル容器１を単一の材質からなる中実の基材２によって構成したが、これに限定されるものではなく、図４に示されるように、複数のウェル５ａが形成された中空容器５内に、液体、ジェル、固体等の他の物質Ｃを充填してもよい。このとき、中空容器５および充填された物質Ｃを、標本Ａとともにウェル５ａ内に貯留される液体Ｂと同じ屈折率を有する材質により構成すればよい。
【００２６】
次に、本発明の第２の実施形態に係るマルチウェル容器６について、図面を参照して以下に説明する。
本実施形態に係るマルチウェル容器６は、図５および図６に示されるように、複数の孔（貫通孔）７を有し、水平に配置される平板状の支持部材８と、該支持部材８の各孔７内に鉛直方向に移動可能に挿入された複数の円筒状のウェル部９と、各ウェル部９を支持部材８に対して上方に付勢するコイルスプリング（付勢部材）１０とを備えている。
【００２７】
各ウェル部９は、光学的に透明な材質により構成され、一端に底面９ａを有する有底円筒状に構成されている。
各ウェル部９には、他端に径方向外方に突出する鍔部９ｂが設けられている。
コイルスプリング１０は、支持部材８の上面と各ウェル部９の鍔部９ｂの下面との間にそれぞれ挟まれるように配置され、図５に示されるように、各ウェル部９の自重によって若干圧縮された状態でウェル部９を所定の位置に支持するようになっている。
【００２８】
そして、各ウェル部９が、上方（ウェル部９の中心軸に沿って鍔部９ｂから底面９ａの方向）から押されると、押されたウェル部９のみが、コイルスプリング１０の付勢力に抗して他のウェル部９に対して下方（ウェル部９の中心軸に沿って底面９ａから鍔部９ｂの方向）に押し下げられるようになっている。これにより、押し下げられたウェル部９の外周面は、隣接する他のウェル部９よりも下方に配置されることによって側方に露出させられるようになっている。
【００２９】
このように構成された本実施形態に係るマルチウェル容器６によれば、支持部材８とコイルスプリング１０とによって下方から支持されている状態の各ウェル部９の底面９ａよりも若干下方に照明光の水平な光束を配置しておき、観察したい標本Ａが収容されているウェル部９を、例えば、対物レンズ４によって上方から押し下げる。これにより、押し下げられたウェル部９によって照明光Ｔの光束が遮られるので、照明光Ｔが押し下げられたウェル部９の側面からウェル部９内に入射し、ウェル部９内に収容されている標本Ａに照射される。
【００３０】
すなわち、本実施形態に係るマルチウェル容器６によれば、観察したい標本Ａが収容されているウェル部９を他のウェル部９に対して押し下げることにより、押し下げられたウェル部９以外のウェル部９に照明光Ｔを入射させることなく、押し下げられたウェル部９内の標本Ａのみに照明光Ｔを照射することができる。その結果、他のウェル部９や該ウェル部９内の標本Ａによって照明光Ｔが屈折および散乱させられずに済むので、薄いシート状の形態のままで標本Ａに照射することができ、空間分解能が高く鮮明な標本Ａの画像を取得することができるという利点がある。
【００３１】
なお、本実施形態においては、対物レンズ４によってウェル部９を押し下げることとしたが、これに代えて、他の部材によってウェル部９を押し下げることにしてもよい。また、単一のウェル部９を押し下げることに代えて、縦横にマトリクス状に配列された複数のウェル部９のうち、１列分の複数のウェル部９を一度に押し下げて順次観察することにしてもよい。また、観察したいウェル部９を固定し、他のウェル部９を押し上げることにしてもよい。
【００３２】
次に、本発明の第３の実施形態に係るマルチウェル容器１１について、図面を参照して以下に説明する。
本実施形態に係るマルチウェル容器１１は、図７から図９に示されるように、隣接するウェル部１２の列間に隣接するウェル部１２を相対的に揺動可能に連結するヒンジ部材１３を備えていてもよい。
【００３３】
このようにすることで、照明光Ｔの光源に最も近い１列目のウェル部１２内の標本Ａを観察するときには、図７に示されるように、全てのウェル部１２の中心軸が略平行となるように配置して最端部のウェル部１２の外周面に照明光Ｔを入射させる。
次いで、２列目のウェル部１２内の標本Ａを観察するときには、図８に示されるように、１列目と２列目のウェル部１２を連結しているヒンジ部材１３によって、１列目のウェル部１２を２列目のウェル部１２に対して揺動させて跳ね上げる。これにより、１列目のウェル部１２を照明光Ｔに干渉しない位置に移動させることができ、２列目のウェル部１２の外周面に照明光Ｔを直接入射させることができる。
【００３４】
さらに、３列目のウェル部１２内の標本Ａを観察するときには、図９に示されるように、２列目と３列目のウェル部１２を連結しているヒンジ部材１３によって、１列目および２列目のウェル部１２を３列目のウェル部１２に対して揺動させて跳ね上げる。
これにより、１列目および２列目のウェル部１２を照明光Ｔに干渉しない位置に移動させることができ、３列目のウェル部１２の外周面に照明光Ｔを直接入射させることができる。
【００３５】
以下、同様の操作を順次行うことにより、全てのウェル部１２の外周面に照明光Ｔを直接入射させ、シート状の照明光Ｔの屈折および散乱を低減して、薄いシート状の形態のままで標本Ａに照射することができ、空間分解能が高く鮮明な標本Ａの画像を取得することができるという利点がある。
【００３６】
なお、本実施形態においては、各列のウェル部１２の間にヒンジ部材１３を設けたが、これに代えて、図１０に示されるように、マトリクス状に配列された複数のウェル部１２の底面１２ａとは反対側の端部を、可撓性を有するシート状の連結部材１４によって連結したマルチウェル容器１５を採用してもよい。
【００３７】
このようにすることで、図１１に示されるように、水平軸線回りに回転可能かつ光学的に透明な回転部材１６の外周面に、連結部材１４を湾曲させた状態のマルチウェル容器１５を取り付け、回転部材１６の径方向内方に対物レンズ４を配置しておくことにより、回転部材１６を回転させて、各ウェル部１２の中心線を対物レンズ４の光軸Ｓに順次一致させ、中心線と光軸とが一致したウェル部１２内に収容されている標本Ａの観察を行うことができる。
【００３８】
この場合に、対物レンズ４の光軸Ｓと中心線とが一致したウェル部１２の底面１２ａ近傍の外周面にシート状の照明光Ｔが入射されるように照明光Ｔの光束を配置しておくことにより、連結部材１４の湾曲によって跳ね上げられた隣接するウェル部１２に照明光Ｔを入射させることなく、シート状の照明光Ｔの屈折および散乱を低減して、薄いシート状の形態のままで標本Ａに照射することができ、空間分解能が高く鮮明な標本Ａの画像を取得することができるという利点がある。
【００３９】
次に、本発明の一実施形態に係る容器アダプタ１７について、図面を参照して以下に説明する。
本実施形態に係る容器アダプタ１７は、図１２に示されるように、光学的に透明な平行平板状の基材１８の一面に開口し、平行な中心軸に沿って複数形成された丸孔状の凹部（密着面）１９を有している。各凹部１９内面の形状は、例えば、図１０に示されるマルチウェル容器１５の各ウェル部１２の外面の形状と相補的な形状を有している。これにより、容器アダプタ１７の各凹部１９にマルチウェル容器１５の各ウェル部１２を挿入することにより、各ウェル部１２の外面を各凹部１９の内面に隙間なく密着させた状態に配置することができるようになっている。
【００４０】
平行平板からなる基材１８の少なくとも一側面（入射面）１８ａは、凹部１９の中心軸と平行に形成されている。
また、基材１８は凹部１９内に標本Ａとともに収容される液体Ｂの屈折率と同等の屈折率を有する材質により構成されている。
【００４１】
このように構成された本実施形態に係る容器アダプタ１７の作用について以下に説明する。
本実施形態に係る容器アダプタ１７を用いてマルチウェル容器１５のウェル部１２内に収容された標本Ａの観察を行うには、各ウェル部１２内に液体Ｂとともに標本Ａを収容したマルチウェル容器１５を、図１３に示されるように、各ウェル部１２が容器アダプタ１７の各凹部１９に収容されるように組み合わせる。そして、この状態で、図１４に示されるように、容器アダプタ１７を構成する基材１８の一側面１８ａ側から該一側面１８ａに直交する方向に沿ってシート状の照明光Ｔを入射させる。
【００４２】
シート状の照明光Ｔは、容器アダプタ１７の外側から内部に入射する際に、屈折率の異なる物質の境界面である一側面１８ａを通過するが、該一側面１８ａに直交する方向に沿って入射するので、該一側面１８ａにおいて大きな散乱や屈折を生ずることなく容器アダプタ１７内に入射する。
また、マルチウェル容器１５の各ウェル部１２の外面が容器アダプタ１７の各凹部１９の内面に隙間なく密着している。さらに、容器アダプタ１７の基材１８の材質、マルチウェル容器１５の材質がウェル部１２内に標本Ａとともに収容されている液体Ｂと略同等の屈折率を有する材質により構成されている。
【００４３】
したがって、容器アダプタ１７の基材１８内に入射した照明光は、容器アダプタ１７とウェル部１２との境界およびウェル部１２と液体Ｂとの境界のいずれにおいても、大きな屈折率差が生じていないため、大きな屈折や散乱を生ずることなく通過する。その結果、容器アダプタ１７の一側面１８ａの外方から入射されてくるシート状の照明光Ｔは、シート状の形態を乱されることなくウェル１２内に収容されている標本Ａに到達することができ、空間分解能の高い画像を取得することができるという利点がある。
【００４４】
なお、本実施形態においては、容器アダプタ１７の凹部１９として、マルチウェル容器１５の各ウェル部１２の外面と完全に相補的な形状の内面を有するものを例示したが、これに限定されるものではない。すなわち、少なくとも照明光Ｔが通過する範囲において、各ウェル部１２の外面に密着する相補的な形状の密着面を有する凹部１９が備えられていればよい。
【００４５】
また、本実施形態に係る容器アダプタ１７においても、図４のマルチウェル容器１と同様に、単一の材質からなる中実の基材１８によって構成することに代えて、中空容器内に、該中空容器と屈折率が同等の液体、ジェル、固体等の他の物質Ｃを充填して構成してもよい。
【符号の説明】
【００４６】
１，６，１１，１５  マルチウェル容器
２，１８  基材
２ａ  側面（入射面）
３  ウェル
７  孔（貫通孔）
８  支持部材
９，１２  ウェル部
９ａ，１２ａ  底面
１０  コイルスプリング（付勢部材）
１３  ヒンジ部材
１４  連結部材
１７  容器アダプタ
１８ａ  一側面（入射面）
１９  凹部（密着面）
Ａ  標本
Ｂ  液体
Ｓ  光軸
Ｔ  照明光
【図１】
2017146443.tif 000003
【図２】
2017146443.tif 000004
【図３】
2017146443.tif 000005
【図４】
2017146443.tif 000006
【図５】
2017146443.tif 000007
【図６】
2017146443.tif 000008
【図７】
2017146443.tif 000009
【図８】
2017146443.tif 000010
【図９】
2017146443.tif 000011
【図１０】
2017146443.tif 000012
【図１１】
2017146443.tif 000013
【図１２】
2017146443.tif 000014
【図１３】
2017146443.tif 000015
【図１４】
2017146443.tif 000016